【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
無線通信システムにおいて、確認モード（Ａｃｋｎｏｗｌｅｄｇｅｍｅｎｔ  Ｍｏｄｅ：ＡＭ）で動作し、データユニットを送信するように構成された、通信装置であって、
トランシーバー；
少なくとも１つのプロセッサ；及び
少なくとも１つのコンピューターメモリ；を備えてなり、
前記少なくとも１つのコンピューターメモリが、前記少なくとも１つのプロセッサに動作可能に連結可能であり、かつ、実行時に前記少なくとも１つのプロセッサをして動作を行うようにする指示が格納されてなり、
前記動作は、
前記通信装置のパケットデータ収束プロトコル（Ｐａｃｋｅｔ  Ｄａｔａ  Ｃｏｎｖｅｒｇｅｎｃｅ  Ｐｒｏｔｏｃｏｌ：ＰＤＣＰ）階層から、Ｍ個サービスデータユニット（Ｓｒｖｉｃｅ  Ｄａｔａ  Ｕｎｉｔ：ＳＤＵ）を受信し、
Ｍ個の無線リンク制御（Ｒａｄｉｏ  Ｌｉｎｋ  Ｃｏｎｔｒｏｌ：ＲＬＣ）サービスデータユニット（Ｓｅｒｖｉｃｅ  Ｄａｔａ  Ｕｎｉｔ：ＳＤＵ）の為に、Ｍ個の無線リンク制御（ＲＬＣ）プロトコルデータユニット（Ｐｒｏｔｏｃｏｌ  Ｄａｔａ  Ｕｎｉｔ：ＰＤＵ）を各々（ｒｅｓｐｅｃｔｉｖｅｌｙ）構成し、ここで、Ｍは１より大きいものであり、
送信機会に対して、前記Ｍ個のＲＬＣ  ＰＤＵのうちの、Ｌ個のＲＬＣ  ＳＤＵに対応して、前記Ｍ個のＲＬＣ  ＰＤＵのうちの、Ｌ個のＲＬＣ  ＰＤＵのみを、媒体接続制御（Ｍｅｄｉｕｍ  Ａｃｃｅｓｓ  Ｃｏｎｔｒｏｌ：ＭＡＣ）階層に提出し、ここで、前記Ｌ個のＲＬＣ  ＰＤＵは受信装置で状態報告をトリガーするためのポール（Ｐｏｌｌ）を備える第１のＲＬＣ  ＰＤＵを備えてなり、
前記ポールを備える前記第１のＲＬＣ  ＰＤＵを前記通信装置の前記ＭＡＣ階層に提出する時、ポール再送信タイマーを開始し、
前記Ｌ個のＲＬＣ  ＰＤＵを前記受信装置に送信するように前記トランシーバーを制御し、
(i)前記ポール再送信タイマーが満了の時、及び、新しいＲＬＣ  ＳＤＵが送信できない時、前記ＭＡＣ層に提出された前記Ｌ個のＲＬＣ  ＳＤＵのシーケンス番号（Ｓｅｑｕｅｎｃｅ  Ｎｕｍｂｅｒ：ＳＮ）のうちの最上位ＳＮを有する第２のＲＬＣ  ＳＤＵを備えてなる第２のＲＬＣ  ＰＤＵを構成し、ここで、Ｌ＜Ｍであり、及び
前記第２のＲＬＣ  ＳＤＵを備える前記第２のＲＬＣ  ＰＤＵを送信するように前記トランシーバーを制御することを含んでなる、通信装置。
【請求項２】
前記動作は、前記第２のＲＬＣ  ＰＤＵに前記ポールを包含することを更に含んでなる、請求項１に記載の通信装置。
【請求項３】
前記動作は、状態変数を前記Ｍ個のＲＬＣ  ＰＤＵのＳＮのうちの最上位ＳＮ＋１にセットすることを更に含んでなり、
前記状態変数は新しく生成するＲＬＣ  ＰＤＵに対して割り当てられるＳＮを保有し、及び、
前記状態変数は、ＲＬＣ  ＳＤＵ又はＲＬＣ  ＳＤＵの最後セグメントを含むＲＬＣ  ＰＤＵが、前記状態変数と同じＳＮを伴って構成される度にアップデートされることを更に含んでなる、請求項１又は２に記載の通信装置。
【請求項４】
前記動作は、
前記Ｌ個のＲＬＣ  ＰＤＵを含むＭＡＣ  ＰＤＵを構成し、及び
前記送信機会に前記ＭＡＣ  ＰＤＵを送信するように前記トランシーバを制御することを更に含んでなる、請求項１〜３の何れか一項に記載の通信装置。
【請求項５】
前記ＭＡＣ層に提出されたＲＬＣ  ＳＤＵのＳＮのうちの前記最上位ＳＮは前記Ｍ個のＲＬＣ  ＳＤＵのＳＮのうちの最上位ＳＮより少ない、請求項１〜４の何れか一項に記載の通信装置。
【請求項６】
前記状態報告をトリガーするためにポール（Ｐｏｌｌ）を備える第１のＲＬＣ  ＰＤＵは、前記状態報告をトリガーするか否かを示す数値を有する少なくとも１つのフィールドを含んでなる、請求項１〜５の何れか一項に記載の通信装置。
【請求項７】
新しいＲＬＣ  ＳＤＵを送信することができない状態において、ＲＬＣ  ＳＤＵは前記ＭＡＣ階層に未だ提出されていないものを送信することができない、請求項１〜６の何れか一項に記載の通信装置。
【請求項８】
無線通信システムにおいて、確認モード（Ａｃｋｎｏｗｌｅｄｇｅｍｅｎｔ  Ｍｏｄｅ：ＡＭ）で動作する通信装置を制御するにように構成された、処理装置であって、
前記処理装置は、
少なくとも１つのプロセッサ；及び
少なくとも１つのコンピューターメモリ；を備えてなり、
前記少なくとも１つのコンピューターメモリが、前記少なくとも１つのプロセッサに動作可能に連結可能であり、かつ、実行時に前記少なくとも１つのプロセッサをして動作を行うようにする指示が格納されてなり、
前記動作は、
前記通信装置のパケットデータ収束プロトコル（Ｐａｃｋｅｔ  Ｄａｔａ  Ｃｏｎｖｅｒｇｅｎｃｅ  Ｐｒｏｔｏｃｏｌ：ＰＤＣＰ）階層から、Ｍ個サービスデータユニット（Ｓｒｖｉｃｅ  Ｄａｔａ  Ｕｎｉｔ：ＳＤＵ）を受信し、
Ｍ個の無線リンク制御（Ｒａｄｉｏ  Ｌｉｎｋ  Ｃｏｎｔｒｏｌ：ＲＬＣ）サービスデータユニット（Ｓｅｒｖｉｃｅ  Ｄａｔａ  Ｕｎｉｔ：ＳＤＵ）の為に、Ｍ個の無線リンク制御（ＲＬＣ）プロトコルデータユニット（Ｐｒｏｔｏｃｏｌ  Ｄａｔａ  Ｕｎｉｔ：ＰＤＵ）を各々（ｒｅｓｐｅｃｔｉｖｅｌｙ）構成し、ここで、Ｍは１より大きいものであり、
送信機会に対して、前記Ｍ個のＲＬＣ  ＰＤＵのうちの、Ｌ個のＲＬＣ  ＳＤＵに対応して、前記Ｍ個のＲＬＣ  ＰＤＵのうちの、Ｌ個のＲＬＣ  ＰＤＵのみを、媒体接続制御（Ｍｅｄｉｕｍ  Ａｃｃｅｓｓ  Ｃｏｎｔｒｏｌ：ＭＡＣ）階層に提出し、ここで、前記Ｌ個のＲＬＣ  ＰＤＵは受信装置で状態報告をトリガーするためのポール（Ｐｏｌｌ）を備える第１のＲＬＣ  ＰＤＵを備えてなり、
前記ポールを備える前記第１のＲＬＣ  ＰＤＵを前記通信装置の前記ＭＡＣ階層に提出する時、ポール再送信タイマーを開始し、
前記Ｌ個のＲＬＣ  ＰＤＵを前記受信装置に送信し、
(i)前記ポール再送信タイマーが満了の時、及び、新しいＲＬＣ  ＳＤＵが送信できない時、前記ＭＡＣ層に提出された前記Ｌ個のＲＬＣ  ＳＤＵのシーケンス番号（Ｓｅｑｕｅｎｃｅ  Ｎｕｍｂｅｒ：ＳＮ）のうちの最上位ＳＮを有する第２のＲＬＣ  ＳＤＵを備えてなる第２のＲＬＣ  ＰＤＵを構成し、ここで、Ｌ＜Ｍであり、及び
前記第２のＲＬＣ  ＳＤＵを備える前記第２のＲＬＣ  ＰＤＵを送信することを含んでなる、処理装置。
【請求項９】
前記動作は、前記第２のＲＬＣ  ＰＤＵに前記ポールを包含することを更に含んでなる、請求項８に記載の処理装置。
【請求項１０】
前記動作は、状態変数を前記Ｍ個のＲＬＣ  ＰＤＵのＳＮのうちの最上位ＳＮ＋１にセットすることを更に含んでなり、
前記状態変数は、ＲＬＣ  ＳＤＵ又はＲＬＣ  ＳＤＵの最後セグメントを含むＲＬＣ  ＰＤＵが、前記状態変数と同じＳＮを伴って構成される度にアップデートされることを更に含んでなる、請求項８又は９に記載の処理装置。
【請求項１１】
前記動作は、
前記Ｌ個のＲＬＣ  ＰＤＵを含むＭＡＣ  ＰＤＵを構成し、及び
前記送信機会に前記Ｌ個のＲＬＣ  ＰＤＵを含む前記ＭＡＣ  ＰＤＵを送信することを更に含んでなる、請求項８〜１０の何れか一項に記載の処理装置。
【請求項１２】
前記ＭＡＣ層に提出されたＲＬＣ  ＳＤＵのＳＮのうちの前記最上位ＳＮは前記Ｍ個のＲＬＣ  ＳＤＵのＳＮのうちの最上位ＳＮより少ない、請求項８〜１１の何れか一項に記載の処理装置。
【請求項１３】
前記状態報告をトリガーするためにポール（Ｐｏｌｌ）を備える第１のＲＬＣ  ＰＤＵは、前記状態報告をトリガーするか否かを示す数値を有する少なくとも１つのフィールドを含んでなる、請求項８〜１２の何れか一項に記載の処理装置。
【請求項１４】
無線通信システムにおいて、確認モード（Ａｃｋｎｏｗｌｅｄｇｅｍｅｎｔ  Ｍｏｄｅ：ＡＭ）で動作するように構成された通信装置によりデータユニットを送信する方法であって、
前記通信装置のパケットデータ収束プロトコル（Ｐａｃｋｅｔ  Ｄａｔａ  Ｃｏｎｖｅｒｇｅｎｃｅ  Ｐｒｏｔｏｃｏｌ：ＰＤＣＰ）階層から、Ｍ個サービスデータユニット（Ｓｒｖｉｃｅ  Ｄａｔａ  Ｕｎｉｔ：ＳＤＵ）を受信し、
Ｍ個の無線リンク制御（Ｒａｄｉｏ  Ｌｉｎｋ  Ｃｏｎｔｒｏｌ：ＲＬＣ）サービスデータユニット（Ｓｅｒｖｉｃｅ  Ｄａｔａ  Ｕｎｉｔ：ＳＤＵ）の為に、Ｍ個の無線リンク制御（ＲＬＣ）プロトコルデータユニット（Ｐｒｏｔｏｃｏｌ  Ｄａｔａ  Ｕｎｉｔ：ＰＤＵ）を各々（ｒｅｓｐｅｃｔｉｖｅｌｙ）構成し、ここで、Ｍは１より大きいものであり、
送信機会に対して、前記Ｍ個のＲＬＣ  ＰＤＵのうちの、Ｌ個のＲＬＣ  ＳＤＵに対応して、前記Ｍ個のＲＬＣ  ＰＤＵのうちの、Ｌ個のＲＬＣ  ＰＤＵのみを、媒体接続制御（Ｍｅｄｉｕｍ  Ａｃｃｅｓｓ  Ｃｏｎｔｒｏｌ：ＭＡＣ）階層に提出し、ここで、前記Ｌ個のＲＬＣ  ＰＤＵは受信装置で状態報告をトリガーするためのポール（Ｐｏｌｌ）を備える第１のＲＬＣ  ＰＤＵを備えてなり、
前記ポールを備える前記第１のＲＬＣ  ＰＤＵを前記通信装置の前記ＭＡＣ階層に提出する時、ポール再送信タイマーを開始し、
前記Ｌ個のＲＬＣ  ＰＤＵを前記受信装置に送信し、
(i)前記ポール再送信タイマーが満了の時、及び、新しいＲＬＣ  ＳＤＵが送信できない時、前記ＭＡＣ層に提出された前記Ｌ個のＲＬＣ  ＳＤＵのシーケンス番号（Ｓｅｑｕｅｎｃｅ  Ｎｕｍｂｅｒ：ＳＮ）のうちの最上位ＳＮを有する第２のＲＬＣ  ＳＤＵを備えてなる第２のＲＬＣ  ＰＤＵを構成し、ここで、Ｌ＜Ｍであり、及び
前記第２のＲＬＣ  ＳＤＵを備える前記第２のＲＬＣ  ＰＤＵを送信することを含んでなる、データユニットを送信する方法。
【請求項１５】
前記第２のＲＬＣ  ＰＤＵに前記ポールを包含することを更に含んでなる、請求項１４に記載のデータユニットを送信する方法。
【請求項１６】
状態変数を前記Ｍ個のＲＬＣ  ＰＤＵのＳＮのうちの最上位ＳＮ＋１にセットすることを更に含んでなり、
前記状態変数は新しく生成するＲＬＣ  ＰＤＵに対して割り当てられるＳＮを保有し、及び、
前記状態変数は、ＲＬＣ  ＳＤＵ又はＲＬＣ  ＳＤＵの最後セグメントを含むＲＬＣ  ＰＤＵが、前記状態変数と同じＳＮを伴って構成される度にアップデートされることを更に含んでなる、請求項１４又は１５に記載のデータユニットを送信する方法。
【請求項１７】
前記Ｌ個のＲＬＣ  ＰＤＵを含むＭＡＣ  ＰＤＵを構成し、及び
前記送信機会に前記Ｌ個のＲＬＣ  ＰＤＵを含む前記ＭＡＣ  ＰＤＵを送信することを更に含んでなる、請求項１４〜１６の何れか一項に記載のデータユニットを送信する方法。
【請求項１８】
前記ＭＡＣ層に提出されたＲＬＣ  ＳＤＵのＳＮのうちの前記最上位ＳＮは前記Ｍ個のＲＬＣ  ＳＤＵのＳＮのうちの最上位ＳＮより少ない、請求項１４〜１７の何れか一項に記載のデータユニットを送信する方法。
【請求項１９】
前記状態報告をトリガーするためにポール（Ｐｏｌｌ）を備える第１のＲＬＣ  ＰＤＵは、前記状態報告をトリガーするか否かを示す数値を有する少なくとも１つのフィールドを含んでなる、請求項１４〜１７の何れか一項に記載のデータユニットを送信する方法。